Podtech/llm-jp-corpus-v4-ja_patent huggingface dataset:
(57)【要約】【課題】コンタクトレンズの装着脱の際、鏡を手に持たずに、両手を自由に使えるようにし、また鏡の置き場所も必要としない、角度や位置の調整が可能なコンパクトミラーを提供する。【解決手段】コンパクトミラー本体１の縁と、コンタクトレンズを装着脱する指５を挟んで固定させるクリップ３を、自由自在に曲げられる軟性を持った針金４で連結し、鏡２の鏡面が指５を爪側から映し出すように針金４を湾曲させる。そして、針金４を任意に曲げて、コンパクトミラー本体１の位置や角度を調整する。【選択図】図１
2007054570.tif 000002
【特許請求の範囲】
【請求項１】
指に固定させる器具と鏡を針金で連結してあることを特徴とするコンパクトミラー。
【請求項２】
前記針金は自由自在に曲げられる軟性を持っていることを特徴とする請求項１記載のコンパクトミラー。
【発明の詳細な説明】
【技術分野】
【０００１】  本発明は、コンタクトレンズの装着脱時に用いる為のコンパクトミラーの形状に関する。
【背景技術】
【０００２】  従来のコンタクトレンズの装着脱時にコンパクトミラーを使用する場合、鏡を机等に置いて置き鏡として用いる方法や、鏡を手で持って使う方法はあるが、コンタクトレンズの装着脱用として指に装着するコンパクトミラーというものは存在しなかった。
【発明の開示】
【発明が解決しようとする課題】
【０００３】  従来の方法によれば、手で鏡を持つ場合は、鏡を持っている方の手がふさがり、片手でコンタクトレンズの装着脱をしなければならない。また、置き鏡を使用する場合は、鏡を置く場所が必要となり、しかも微妙な鏡の位置や角度の調整も困難になりがちである。よって、本発明は、両手を自由に使うことができ、置き場所も必要としない角度や位置の調整できるコンパクトミラーを提供することを課題とする。
【課題を解決するための手段】
【０００４】  以上の課題を解決するために、第一発明は、指に固定させる器具と鏡を針金で連結していることを特徴とするコンパクトミラーである。
また、第二発明は、前記針金は自由自在に曲げられる軟性を持っていることを特徴とするコンパクトミラーある。
【発明の効果】
【０００５】  第一発明により、コンパクトミラーは、指に固定された状態でコンタクトレンズを装着脱する指を映し出す位置に取り付けられる為、鏡の置き場所を必要とせず、両手を自由に使ってコンタクトレンズの装着脱ができるようになる。また第二発明により、コンパクトミラーの位置や角度を任意に微調整できる為、コンタクトレンズの装着脱の際、最適な位置や角度にコンパクトミラーを調整して覗けるようになり、コンタクトレンズの装着脱がスムーズに行えるようになる。
【発明を実施するための最良の形態】
【０００６】  この発明の一実施形態を、図１に示す。
コンパクトミラー本体１は軽量な鏡２が取り付けられたものであり、このコンパクトミラー本体１の縁と、コンタクトレンズを装着脱する指５を挟んで固定させるクリップ３を、自由自在に曲げられる軟性を持った針金４で連結する。そして、鏡２の鏡面が指５を爪側から映し出すように針金４を湾曲させている。【０００７】「他の実施形態」
図１の実施形態では、指に固定する器具はクリップであったが、他の実施形態では、指輪の形状をした指にはめ込んで固定する器具でも良い。
【実施例】
【０００８】  コンタクトレンズを装着脱する指５の付け根にクリップ３を挟んで固定し、コンパクトミラー本体１が、指５を爪側から映し出す位置にくるように取り付ける。そして、針金４を任意に曲げて、コンパクトミラー本体１を最適な位置や角度に調整して、コンパクトミラー本体１を覗きながらコンタクトレンズの装着脱を行う。
【図面の簡単な説明】
【０００９】
【図１】この発明の一実施形態を示す斜視図である。
【符号の説明】
【００１０】    １  コンパクトミラー本体
２  鏡
３  クリップ
４  針金
５  指
【図１】
2007054570.tif 000003
(57)【要約】      （修正有）【課題】これまでの湯たんぽは形状が楕円形で足のそばに置く利用形態であったが、足を乗せることができ自然な形で寝ることのできる湯たんぽを提供する。【解決手段】楕円形状の湯たんぽの真ん中に２つの窪みを設け、両足を自然な形で伸ばすことができるようにした。この形状により、机の下に湯たんぽを置き足を乗せて使うこともできるようにした。さらに湯たんぽに電気ヒーターを内蔵させ、湯たんぽ暖めて利用することを可能にした。【選択図】図１
2007054590.tif 000002
【特許請求の範囲】
【請求項１】
湯たんぽを寝るときや机の下において利用しやすいように２箇所のへこみをつけ、足を伸ばして寝やすいような形状にしたお湯を入れ利用するタイプの足置き湯たんぽである。
【請求項２】
上記請求項１を湯入りではなく、電気ヒーターを内蔵させ電気で湯たんぽを暖め利用するタイプ。
【発明の詳細な説明】
【技術分野】
【０００１】本発明は、これまでの湯たんぽは楕円形で足をおくには高く足元に置くことができず足のそばにしか置けず不便だったが真ん中を窪みを造ることで足を伸ばせるようにしたものである。
【背景技術】
【０００２】湯たんぽの形状を真ん中を足をのせることができるように改良を加えた。
【特許文献１】  特許公開平−２２９９９６  湯たんぽ式足温器
以上参照。
【発明の開示】
【発明が課題を解決しようとする手段】
【０００３】本発明は、これまでの湯たんぽは楕円形で足をおくには高く足元に置くことができず足のそばにしか置けず不便だったが真ん中を窪みを造ることで足を湯たんぽのくぼみに足を伸ばして自然の形で寝ることができるので便利である。
又、上記特許公開平−２２９９９６の足をすっぽり入れる形の湯たんぽは寝るときは利用できない。
【発明の効果】
【０００４】寝るときに湯たんぽのうえに足を乗せることができるので楽である。
又、机の下におき足を乗せて使用することも可能。
【発明を実施するための最良の形態】
【０００５】図１、及び図２において、形状が足が置ける様へこんだ形になっており、足を伸ばして利用することができ、自然な形で足を伸ばし寝ることが可能。
【図面の簡単な説明】
【０００６】
【図１】足置き湯たんぽ（お湯入れ式）の外観図  ※本体材料は耐熱プラスチック製か金属を使用する。
【図２】足置き湯たんぽ（電気ヒーター式）の外観図
【符号の説明】
【０００７】１  ふた（キャップ）
２  取っ手
３  電気ヒーター
４  電気（ＡＣ）コード
【図１】
2007054590.tif 000003
【図２】
2007054590.tif 000004
(57)【要約】【課題】本発明は自動車のハンドルなどに装着する数珠である。車の運転者が走行中の時間を祈りの時間とする  運転中に片手で数珠を扱うことは危険でもあるために、運転者の邪魔にならない数珠を提供する。【手段】円状に連なった連珠に珠を動かした数に連動して計数する計数器をつけバンドでハンドルに装着する。【選択図】図４
2007054587.tif 000002
【特許請求の範囲】
【請求項１】
円状に連なった連珠に珠の動きに連動して計数する計数器をつけバンドでハンドルに装着できる数珠。
【発明の詳細な説明】
【技術分野】
【０００１】  本発明は自動車のハンドルなどに装着する数珠であって、車の運転者が走行中安全に祈りの回数を計数できる数珠に関するものである。
【背景技術】
【０００２】  従来、唱えた祈りの言葉の回数を計数するために数珠が用いられている。
【発明の開示】
【発明が解決しようとする課題】
【０００３】  車の運転者が走行中に数珠を用いて唱えた祈りの言葉の回数を計数するとき、次のような問題点があった。車の運転者が運転中に片手で数珠を扱うことは危険であり、また計数も不正確になりがちである。本発明は、以上の問題点を解決し、祈りの言葉の回数を安全かつ正確に計数できるようになされたものである。
【課題を解決するための手段】
【０００４】  円状に連なった連珠に珠の動きに連動して計数する計数器をつける。連珠と計数器をバンドを用いてハンドルに固定する。
本発明は、以上の構成よりなる祈りの言葉の回数を安全かつ正確に計数できる数珠である。
【発明の効果】
【０００５】  本発明を使用することにより車の運転者が運転中に祈りの言葉の回数を安全かつ正確に計数できる。
【発明を実施するための最良の形態】
【０００６】  以下、本発明の実施の形態を説明する。
（イ）円状に連なった連珠（１）を珠を動かした数に連動して計数する計数器（２）につける。
（ロ）バンド（３）をハンドル（４）に巻きつけ円状に連なった連珠（１）と計数器（２）をハンドル（４）に固定する。
本発明は以上の構成よりなる。
本発明を使用する場合は、円状に連なった連珠（１）の珠を指で動かし回転させる。
【図面の簡単な説明】
【０００７】
【図１】本発明の斜視図
【図２】上面から見た本発明をハンドルに固定した状態の図
【図３】本発明をハンドルに固定した状態の全体図
【図４】本発明をハンドルに固定した状態の斜視図
【符号の説明】
【０００８】（１）円状に連なった連珠、（２）計数器、（３）バンド、（４）（ハンドル）
【図１】
2007054587.tif 000003
【図２】
2007054587.tif 000004
【図３】
2007054587.tif 000005
【図４】
2007054587.tif 000006
(57)【要約】      （修正有）【課題】  各種スポーツの、バット、ラケット、クラブ、ステックなどのグリップに容易に取り付くフィットグリップを提供する。【解決手段】  フィットグリップ（１）をバットのグリップエンドから挿入し自在に調整する。ゴルフクラブにフィットグリップ（２）を取り付けることによりスイングの状態がスムーズになり手袋が不要になる。【選択図】図１
2007054582.tif 000002
【特許請求の範囲】
【請求項１】
野球用バットのグリップに容易に取り付け取り外しのできる滑り防止とグリップエンドの付いたフィットグリップ（１）を設けたことを特徴とするフィットグリップ。
【請求項２】
ゴルフ用クラブ、その他スポーツ用ラケットに容易に取り付け取り外しのできる、滑り防止仕上げのフィットグリップ（２）を設けたことを特徴とする。
【発明の詳細な説明】
【技術分野】
【０００１】  この発明は、各種スポーツを行なうときに、バット、ラケット、クラブ、ステック等の握り部に取り付くフィットグリップに関するものである。
【背景技術】
【０００２】従来よりバットやゴルフクラブ等には固定のグリップはあった。
【発明が解決しようとする課題】
【０００３】これは次のような欠点があった。
（イ）野球用バットの場合木製バットと金属バットがあるが、いずれも形状は同じで、金属バットは、グリップに合成皮が巻いてあるか、ゴムが被せてあり、振ったときに手から抜けないようにグリップエンドが設けてあるが小指の側面がグリップエンドに触れてないと違和感があり、バットを短く持ったとき違和感がある。
（ロ）ゴルフはシャフトにゴム製のグリップが取り付けてあるが雨の時とか、汗をかいてグリップが濡れたときなどシャフトが滑りやすい。
（ハ）グランドゴルフ、ゲートボール等は、ステックにグリップが特別設けられていないため滑りやすい。
本発明は、以上の欠点を解決するためになされたものである。
【課題を解決するための手段】
【０００４】（イ）野球は投手が投げるボールの速さ、又は変化球に対応するため、バットコントロールが大切である。特に球の速さに対応するため、バットを短く持つ時グリップエンドから外れると違和感があり、滑らないかと思い強く握り締めるので、よい結果が出ないが、フィットグリップ（１）を使用することにより、簡単にグリップエンドが調整できるので短く持ってもバットが握り易い、又滑り防止が付いているためバットコントロールが容易である。
（ロ）ゴルフのグリップは、出来るだけ柔らかく握るのが基本ですが雨とか、汗で滑るときがあるため手袋で対応しているが万全ではない。そのような時フィットグリップ（２）を使用することにより滑り防止が付いているため解消される。
（ハ）グランドゴルフ、ゲートボール等はスイングスピードを要求しないため、ステックにはグリップが付いていないが正しく面を出すときは、フィットグリップ（２）があると便利である。
【発明を実施するための最良の形態】
【０００５】以下、本発明の実施の形態を説明する。
フィットグリップ（１）は滑り止め加工したゴム製のグリップであるため、それぞれのグリップエンドから簡単に取り付け取り外しができ位置の調整も簡単に出来る。
本発明は、以上の構成よりなっている。
本発明を使用するときは、バットのグリップエンドから、フィットグリップ（１）を通して自在に位置調整して使用する。
ゴルフクラブ、その他のラケット、ステック等に使用するフットグリップ（２）も同様にグリップエンドから通して使用する。
【発明の効果】
【０００６】（イ）バットを短く持つ時フィットグリップ（１）があるためグリップエンドに手の側面が触れるため短く持つ違和感が無くなる。
（ロ）フィットグリップ（１）は自在に調整できるためバットを短く持つ事が苦にならない。
（ハ）グリップが滑る時、フィットグリップ（２）を使用すると滑り防止仕上げのためスイングに違和感が無く手袋が不要になる。
【図面の簡単な説明】
【図１】本発明の斜視図
【図２】本発明の断面図
【図３】本発明の使用状態を示す斜視図
【符号の説明】
１．  フィットグリップ
２．  滑り防止構造
【図１】
2007054582.tif 000003
【図２】
2007054582.tif 000004
【図３】
2007054582.tif 000005
(57)【要約】【課題】小型軽量で貼付けが簡単なトイレ用消臭器を提供する。【解決手段】消臭剤容器及び芳香剤容器を収納可能に形成された収納部を備えた基部からなり、洋式便器蓋裏に貼付けて使用することを特徴とする貼付け式消臭器。【選択図】図１
2007054583.tif 000002
【特許請求の範囲】
【請求項１】
消臭剤容器及び芳香剤容器を収納可能に形成された収納部を備えた基部からなり、洋式便器蓋裏に貼付けて使用することを特徴とするトイレ用消臭器。
【発明の詳細な説明】
【技術分野】
【０００１】本発明は、洋式トイレの蓋の裏に貼付けて使用するトイレ用消臭器に関するものである。
【背景技術】
【０００２】従来、トイレ使用後の匂いを除去する為、臭気をモ−タ−にて吸引し、強制的にフイルタ−内に通して脱臭している方法と、消臭剤を便器内に噴射して化学反応で消臭している方法があった。又、室内に芳香剤を置いて間接的に消臭していた。
【発明の開示】
【発明が解決しようとする課題】
【０００３】それらは、次の様な問題点があった。
（イ）トイレ消臭には、モ−タ−／フアンを使用する為に、装置が高価、複雑になるので、一般の人達が容易に設置する事が出来ない為に、専門業者に依頼しなければならなかった。
（ロ）又、他の方法では、直接消臭と間接消臭があるが、直接消臭では、消臭剤スプレ−を手で持って直接噴霧し化学反応で消臭している。間接消臭では、消臭剤容器に芳香剤を入れて消臭しているので時間が長くかかる。
（ハ）脱臭機能を使用している器具は、フイルタ−を定期的に清掃しなければならないので手間がかかっている。
本発明は、これらの問題点を解決するためになされたものである。
【課題を解決するための手段】
【０００４】当該消臭剤容器及び芳香剤容器を収納可能に形成された収納部を備えた基部からなり、洋式便器蓋裏に貼付けて使用することを特徴とするトイレ用消臭器。
【発明の効果】
【０００５】本発明に係る貼付け消臭器の作動は、使用後、本人の手で便座蓋を下方に閉めながら便座蓋裏に装着している一体化のトイレ用消臭器に挿入してある消臭剤スプレ−先端にある弁を軽く押すと消臭液が、下方に噴霧されて化学反応に依り瞬時に臭いを除去する。其の後、便座蓋を閉めれば片側に挿入されている芳香剤の香りが、自然に流れ出て便器内に滞留している臭いをも消し、又、芳香剤の徐菌成分が便座の徐菌をし、便器、便座及び／便座蓋の隙間より流れ出てトイレ室内の臭気も消す作用もある。又、（イ）各家庭の水洗トイレ、浄化槽トイレ等の便座蓋裏に簡単に接着が出来、薬剤の交換も素早く出来る。（ロ）特に、現在の高齢化社会で、病院、介護ホスピタル及び／在宅等で生活する障害者、高齢者は勿論、介護する人達に執っても一番の負担になるのが、使用時に発する排泄物の匂いである。一般的に在宅以外での療養では、ある程度軽減されていると考えるが、在宅で生活する障害者、高齢者が使用しているのがバケツ型ポ−タ−ブルトイレであり、これらを使用する場合、使用時に発する排泄物の匂いが部屋の中にこもったり、長期間使用していると壁、建具等に染付いたりするので、使用者等は、他の人に気を使って食事制限、又、頻尿を抑える薬を服用していが現状であると考えると、室内用のバケツ型ポ−タ−ブルトイレ等の蓋裏にも簡単に接着し、長期間使用が出来て、芳香剤の効果で使用時部屋の匂いも消すので、介護する人達も匂いを気にする事なく介護ができる。
【発明を実施するための最良の形態】
【０００６】以下、本発明の実施の形態について説明する。
（イ）複数個の孔（７ｂ）を周壁に有した筒状の芳香剤容器本体（７）に蓋（７ａ）を設ける。
（ロ）押圧部（８ｃ）を押すことでノズル（８ｄ）より消臭剤が噴霧できるように、消臭剤の吸収用パイプ（８ａ）とスプリング（８ｂ）を備えた筒状の消臭剤容器本体（８）を構成する。
（ハ）芳香剤容器本体（７）を着脱可能に嵌合できる芳香剤容器収納部（５）と、消臭剤容器本体（８）を着脱可能に嵌合できる消臭剤容器収納部（６）を並列させ、基板（４）に固着する。
（ニ）芳香剤容器収納部（５）と、消臭剤容器本体（８）のそれぞれに芳香剤容器本体（７）と消臭剤容器本体（８）を収納する。
本発明は以上の構成よりなる。これを使用するときは、基板（４）の裏面を粘着剤もしくは接着剤を利用して、便座蓋（３）の裏面中央部に接着する。
【図面の簡単な説明】
【０００７】
【図１】本発明の消臭器を便座蓋裏に貼付け状態を示す斜視図である。
【図２】本発明の消臭剤容器の下面図である。
【図３】本発明の消臭剤容器の側面図である。
【図４】本発明の芳香剤容器の斜視図である。
【図５】本発明の一体化したる器具の斜視図である。
【図６】本発明の一体化したる器具を便座蓋裏に装着したる正面図である。
【図７】本発明の消臭器使用時の状態を示す側面図である。
【符号の説明】
【０００８】      １    便器
２    便座
３    便座蓋
４    基板
５    芳香剤容器収納部
６    消臭剤容器収納部
７    芳香剤容器本体
７ａ  蓋
７ｂ  孔
８    消臭剤容器本体
８ａ  パイプ
８ｂ  スプリング
８ｃ  押圧部
８ｄ  ノズル
【図１】
2007054583.tif 000003
【図２】
2007054583.tif 000004
【図３】
2007054583.tif 000005
【図４】
2007054583.tif 000006
【図５】
2007054583.tif 000007
【図６】
2007054583.tif 000008
【図７】
2007054583.tif 000009
(57)【要約】【課題】生体組織の内因性信号を内視鏡により計測する技術を提供する。【解決手段】中心波長５９０〜７８０ｎｍの単色光を光源（１）から光学ファイバー（２）で内視鏡（３）に導き、生体組織（１０）を照射して得た画像を、ビデオカメラ（５）を用いて撮影し、コンピュータ（９）で時系列的な変化を記録、解析する。【選択図】  図１
2007054588.tif 000002
【特許請求の範囲】
【請求項１】
内視鏡にビデオカメラを組み合わせ、中心波長５９０〜７８０ｎｍの単色光の時系列的吸光変化画像を記録、解析する方法。
【発明の詳細な説明】
【技術分野】
【０００１】  本発明は、内視鏡に関するもので、内視鏡で観察可能な生体組織の内因性応答による吸光変化を計測するものである。
【背景技術】
【０００２】  従来、生体組織の内因性応答を記録する場合は、光学系に顕微鏡や通常のカメラレンズを用いていたため、手術により組織を露出する必要があった。この例は非特許文献１に見られる。
【非特許文献１】内因性信号による機能構造のイメージング（脳の科学１９９８年  第２０巻  増刊号（通巻２２０号）、１０７〜１１２ページ）
【０００３】  また、特許文献１のように癌組織などの特定波長の光で励起した蛍光を計測する内視鏡技術はあったが、神経組織を含む生体組織の内因性信号の光学的応答の時系列変化を計測する目的の物は無かった。一方、内視鏡において時系列画像を扱う場合においても、従来は形態の変化や動きを観察するものであって、形態変化を起こさない組織を吸光により機能を見るものではなかった。
【特許文献１】特許公表２００４−５２７２９９
【発明の開示】
【考案が解決しようとする課題点】
【０００４】  内視鏡を経由し計測することにより、内視鏡で観察可能な組織であれば、手術によらなくても、内因性信号が測定可能となる。これにより、例えば鼻の嗅粘膜の内視鏡観察に用いれば、従来の形態の観察だけでなく、においが嗅神経を刺激した結果引き起こされる、嗅粘膜組織の内因性の吸光度変化を計測でき、嗅粘膜がにおいを感じたか否かの機能を検査できる。すなわち、組織の内因性信号を計測することにより、内視鏡に機能観察能を付加することを課題とする。
【課題を解決するための手段】
【０００５】  いまその解決手段を図面を追いながら説明すれば、本考案は、
（イ）中心波長５９０〜７８０ｎｍの単色光源（１）から光学ファイバー（２）を経由して内視鏡（３）に光が入光する。
（ロ）上記の光が組織（１０）に照射され、その画像は内視鏡（３）でとらえられ、リレーレンズ（４）を経由してビデオカメラ（５）で電気信号に変換され、ケーブル（６）に導かれ、インターフェース回路（Ａ／Ｄ変換を含む）（７）、ケーブル（８）を経て、コンピュータ（９）に取り込まれる。
（ハ）コンピュータ（９）において、取り込まれた時系列画像を、記録し画像の輝度変化を表示、解析する。解析方法は、収集した時系列画像の任意の１枚または、複数の画像の各画素の平均を元にした基準画像に対し、時系列収集された各画像の対応する各画素の輝度変化を演算し、提示することによる。また、上記輝度変化の分解能は０．１％以下のわずかな変化が検出できる性質をもっている。
【発明の効果】
【０００６】  本案は、以上のような構造であるから、これを使用するときは、従来の手技にて、観察すべき組織を内視鏡の視野に入れ、本考案の技術を用いると、組織の内因性信号が計測でき、組織の機能を検査出来る。
【実施例】
【０００７】  なお、本考案の実施に当たって次の如きことができる。
（イ）光源に、発光ダイオード、またはレーザーを用いた本発明。
（ロ）光源に白色光源と光学フィルターを用いた本発明。
（ハ）上記（イ）（ロ）に記載した光源を外部に置かず、内視鏡自体に組み込んだ本発明。
（二）ビデオカメラの代わりに、静止画の連続撮影の可能な装置を用い本発明。
（ホ）ビデオカメラを内視鏡の先端に取り付けた、電子内視鏡の形態をとる本発明。
（二）インターフェース回路をビデオカメラやコンピュータに内蔵した本発明。
（ヘ）本考案の解析結果である各画素の輝度変化を、連続した静止白黒画像または、擬似カラー画像として表示する本発明。
（ト）本考案の解析結果である各画素の輝度変化を、動画の白黒画像または、擬似カラー画像として表示する本発明。
（チ）本考案の解析結果である各画素の輝度変化を、グラフまたは、数値として表示する本発明。
【産業上の利用価値】
【０００８】  本発明に係る内視鏡は、組織の機能を内因性応答により時系列的に検査可能な有用な医療機器であり、医療機器産業にて製造価値があるため、産業上の利用価値がある。
【図面の簡単な説明】
【図１】システムの構成図
【符号の説明】
１：光源
２：ライトガイド用光学ファイバー
３：内視鏡
４：リレーレンズ
５：ビデオカメラ
６：接続ケーブル
７：インターフェース回路
８：接続ケーブル
９：コンピュータ
１０：生体組織（本例では嗅粘膜）
【図１】
2007054588.tif 000003
(57)【要約】      （修正有）【課題】男性が自慰行為を行う際、使用する袋形の自慰用具である。通常の男性用自慰用具は、内壁に弾力材を使用し、その弾力抵抗や張力抵抗を利用している為、ペニスのサイズ差に適応し難く、自慰行為を円滑に行い難かった。ペニスのサイズ差に左右されない抵抗を得るために、吸着抵抗利用した袋形の男性用自慰用具を提供する。【解決手段】ハイデンポリ材等で出来た厚みの極めて薄い袋２を内壁に使用し、外装部に不織布１を使用する。内壁部の袋と外装部の不織布１との間に緩衝材３としてスポンジ材やプラスチックウール材を使用する。内壁の袋内にローション４を充填する。厚みの極めて薄い袋とローションの特性から、ペニス挿入時、袋がペニスに密着し、袋内部は、ほぼ真空状態になる。ほぼ真空状態になった袋は吸着しペニスに絡まり、適度な摩擦抵抗を作る。本発明は、以上の構成からなる弾力や張力を利用しない吸着抵抗式の袋形男性用自慰用具である。【選択図】図１
2007054581.tif 000002
【特許請求の範囲】
【請求項１】
厚みの極めて薄い袋とローションを使い、ペニス挿入時袋内部をほぼ真空状態にし、袋の吸着抵抗を利用した袋形男性用自慰用具。
【発明の詳細な説明】
【技術分野】
【０００１】本発明は男性が自慰行為を行う際、使用する袋形の自慰用具であって、袋の薄さとローションから成る吸着抵抗を利用した袋に関するものである。
【背景技術】
【０００２】従来の男性用自慰用具は、シリコン材・スポンジ材・ゴム材等の弾力材を内壁に使用し、その弾力抵抗や張力抵抗を利用している。
【特許文献１】登録実用新案第３０１６８７４号
【発明の開示】
【発明が解決しようとする課題】
【０００３】弾力抵抗や張力抵抗を利用した男性用自慰用具は、ペニスのサイズ差に適応し難く、使用時の摩擦抵抗に個人差が表れ、自慰行為を円滑に行い難かった。本発明は、以上の問題点を解決し、自慰行為を円滑に行えるようになされたものである。
【課題を解決するための手段】
【０００４】ハイデンポリ材等で出来た厚みの極めて薄い袋を内壁に使用し、外装部に不織布を使用する。内壁部の袋と外装部の不織布との間に緩衝材としてスポンジ材やプラスチックウール材を使用する。内壁の袋内にローションを充填する。厚みの極めて薄い袋とローションの特性から、ペニス挿入時、袋がペニスに密着し、袋内部は、ほぼ真空状態になる。ほぼ真空状態になった袋は吸着しペニスに絡まり、適度な摩擦抵抗を作る。本発明は、以上の構成からなる弾力や張力を利用しない吸着抵抗式の袋形男性用自慰用具である。
【発明の効果】
【０００５】本発明を使用する事により、ペニスのサイズに左右されない吸着による抵抗が得られ、円滑に自慰行為を行う事ができる。
【発明を実施するための最良の形態】
【０００６】以下、本発明の実施の形態を説明する。
（イ）不織布の生地からなる袋体（１）内部にハイデンポリ材等の厚みの極めて薄い材質からなる袋体（２）を設ける。
（ロ）袋体（１）と袋体（２）との間に緩衝材（３）としてプラスチックウールやスポンジ等を充填させる。
（ハ）袋体（１）内部にローション（４）を注入し切り取り部（５）にて密閉する。
（ニ）切り取り部（５）は指にて切り取り可能な強度とする。
本発明は以上の構成よりなる。
本発明を使用する場合は、切り取り部（５）を指で切り取る。
男性器を袋体（１）内部に挿入し自慰行為を行う。
【図面の簡単な説明】
【０００７】
【図１】本発明の斜視図
【図２】本発明の正面図
【図３】本発明の断面図
【符号の説明】
【０００８】（１）不織布材の袋体
（２）ハイデンポリ材等、厚みの極めて薄い材質から成る袋体
（３）緩衝材
（４）ローション
（５）切り取り部
【図１】
2007054581.tif 000003
【図２】
2007054581.tif 000004
【図３】
2007054581.tif 000005
(57)【要約】【課題】  湯呑の蓋は、蓋として使う以外で他の用途に使うことができなかった。【解決手段】  湯呑の蓋に糸底とつまみを設ける。蓋を逆向きに置いて湯呑をのせると茶托として使える。また、逆向きに置いた状態で小皿として使うこともできる。【選択図】図２
2007054578.tif 000002
【特許請求の範囲】
【請求項１】
適した大きさの湯呑の蓋に糸底とつまみを設けて、逆向きに置くと茶托や小皿として使用できる湯呑。
【発明の詳細な説明】
【技術分野】
【０００１】  本発明は、湯呑みやコップに関するものである。
【背景技術】
【０００２】  従来の蓋付き湯呑の蓋は、飲み物を入れた容器を覆う機能しかしていなかった。
【発明の開示】
【発明が解決しようとする課題】
【０００３】  蓋付き湯呑の蓋は、他の用途に使うことができなかった。【０００４】  本発明は、このような従来の構成が有していた問題を解決しようとするものであり、蓋の形を工夫して小皿や茶托としても使用することができる蓋付き湯呑を提供することを目的とするものである。
【課題を解決するための手段】
【０００５】  本発明は上記目的を達成するために、蓋の形状を小皿や茶托としても適した形状とし、糸底とつまみを設ける。
【発明の効果】
【０００６】  上述したように本発明は、蓋付き湯呑を機能的に使えるように蓋の形状を工夫したものである。蓋は小皿としても利用でき、また茶托としても利用することができる。
【発明を実施するための最良の形態】
【０００７】  本発明の実施の形態を図面に基づいて説明する。【０００８】  図１において湯呑１は蓋２を通常通り使用した場合、湯呑１の上に蓋２をかぶせる。つまみ４は蓋２の中心に設け、手でつかみやすいようにする。また、糸底３部分を手でつかむこともできる。【０００９】  図２において蓋２は、逆向きに置くと茶托として使用することができる大きさとする。蓋２の上に湯呑１を置く。蓋２は糸底３を備える。【００１０】  図３において、蓋２は小皿として使用することができる。図３の状態を真上から見た図を図４として示す。
【図面の簡単な説明】
【００１１】
【図１】本発明の実施形態を示す蓋兼小皿付き湯呑正面図
【図２】本発明の実施形態を示す蓋兼小皿付き湯呑使用例正面図
【図３】本発明の実施形態を示す蓋兼小皿部分の断面図
【図４】図３を真上から見た、本発明の実施形態を示す蓋兼小皿部分の平面図
【符号の説明】
【００１２】１  湯呑
２  蓋
３  糸底
４  つまみ
【図１】
2007054578.tif 000003
【図２】
2007054578.tif 000004
【図３】
2007054578.tif 000005
【図４】
2007054578.tif 000006
(57)【要約】【課題】従来の座椅子は、一部を除いて背もたれにもたれたときに頭や首を支えるものが無く、その不安定さから疲れやすく、首や肩のこりの原因となる。【解決手段】本発明はこのような従来の問題に着目し、座椅子の背もたれの上部に本発明の座椅子取り付け式マッサージ器を取り付けることで背もたれにもたれたときに頭や首を安定して支えるものであり、上下可動調節機能５を有し個人差に合わせることを可能とするものである。これにより頭や首が安定し疲労を軽減させ、また、本体に取り付けられた突起４によるツボ押し効果やエッセンシャルオイルの香りによって疲労回復やリラックス効果を得るものである。【選択図】  図１
2007054572.tif 000002
【特許請求の範囲】
【請求項１】
本発明の座椅子取り付け式マッサージ器は、図１に示すように本体１又は取り付け具３にそれぞれ２個の突起４が付いており、図２に示すように座椅子の背もたれの上部に設置可能とし、背もたれにもたれたとき頭や首を支え、同時に突起４に触れることによりマッサージ効果を持つことを特徴とする。
【請求項２】
上記座椅子取り付け式マッサージ器の支柱２の素材は可撓性に富み、クッション性と反発力に優れるものとする。また、くの字状の形状を持つことで反発力を高め、背もたれにもたれたときに頭の重量と前記支柱２の素材と形状の特性を利用しマッサージ効果を高める特徴を持つものである。
【請求項３】
図５に示すように、上記座椅子取り付け式マッサージ器は頭や首の位置にあわせることが出来る上下可動調節機能５を有する構造としたことを特徴とする。
【請求項４】
上記座椅子取り付け式マッサージ器の突起４はネジあるいはボタン構造となっており取り外しを可能とし、また、突起４はエッセンシャルオイルの香りを有することを特徴とする。
【請求項５】
上記本発明は、座椅子の種類や使用目的に応じて付け替えることが可能である。
【発明の詳細な説明】
【技術分野】
【０００１】本発明は、座椅子にもたれた時に頭や首を支え、同時にマッサージ効果を得るための座椅子取り付け式マッサージ器に関するものである。
【発明の開示】
【発明が解決しようとする課題】
【０００２】従来の座椅子は、一部を除いて背もたれにもたれたときに頭や首を支えるものが無く、その不安定さから疲れやすく首や肩のこりの原因となる。
【課題を解決するための手段】
【０００３】本発明はこのような従来の問題に着目し、これを解消するため本発明の座椅子取り付け式マッサージ器を座椅子の背もたれの上部に取り付け具３で本体１を取り付け、背もたれにもたれたときに頭や首を支えるものである。【０００４】また、本発明は図１に示すように突起４を有し、接地面のツボ押し効果により疲労回復やリラックス効果を得るものである。【０００５】また、本発明は図５に示すように上下可動調節機能５を有する構造とし、頭や首の位置による個人差に合わせることを可能とするものである。
【発明の効果】
【０００６】本発明により、図２に示すように背もたれにもたれたとき、しっかりと頭や首が支えられて不安定感が無くなり、疲労が軽減する。【０００７】また、図１に示すように、取り付けられた突起４によりツボを刺激してマッサージ効果が得られ、目、頭、首、肩などの疲れに効果がある。【０００８】また、突起４はエッセンシャルオイルの香りを有し、香りによるリラックス効果が得られる。【０００９】また、本発明により座椅子に座ったまま頭や首を安定させて眠ることが可能となり、図１に示すように取り付けられた突起４によりツボを刺激してマッサージ効果が得られ、安眠や疲労回復に効果がある。【００１０】また、本発明により座椅子の種類や目的に応じて付け替えることが可能となり、例えばデスクワークの座椅子に使用することで上記効果により作業効率の上昇につながる。【００１１】また、支柱２は可撓性に富んでおり、くの字あるいは半円状の形状を持つことで反発力に優れ、頭や首を支えるほか頭の重量と前記支柱２の特性を利用し、マッサージ効果を高めることが出来る。
【発明を実施するための最良の形態】
【００１２】本発明は、頭や首を安定させることが出来るように、図５に示した取り付け具３により座椅子の背もたれの上部に挟むあるいはネジ等で締めることなどで取り付けを可能とする。本体１は肌触りの良いわた、スポンジ、化学繊維等のクッション素材を内包するか、ゴム、プラスチック、樹脂などを含むエラストマーやシリコン、木材等で型どったものとする。また本体１はやや内向きに湾曲し、香りを留めてその効果を高める働きがある。【００１３】また、図１にマッサージ効果を得るための突起４を示す。この突起４は上記本体１と同様の素材とする。また、突起４はネジあるいはボタン構造となっており、取り外しを可能とし、必要ないときは取り外すことが出来る。【００１４】また、図１に取り付け具３を示す。この取り付け具３は上記本体１と同様の素材とする。【００１５】また、図５に支柱２の形状を示す。支柱部分は可撓性に富んだものとし、くの字あるいは半円状の形状が頭の重さに対し反発力を高め、安定性とマッサージ効果を高める。【００１６】また、図５に個人差に合わせるための上下可動調節機能５を示す。これは支柱２下部と取り付け具３上部に複数穴が開けられており、ネジ等で留める穴を上下させることで高さを調節することが可能である。
【実施例】
【００１７】図２に示すように、背もたれにもたれかかり、頭や首を安定させることを可能にすると同時に突起部４が頭や首周囲等の接地面を刺激し、マッサージ効果が得られる。
【図面の簡単な説明】
【００１８】
【図１】本発明の座椅子取り付け式マッサージ器を示した正面からみた平面図である。
【図２】本発明の座椅子取り付け式マッサージ器の実施例を示した斜視図である。
【図３】本発明の座椅子取り付け式マッサージ器の本体１に付く突起部４を示した平面図である。
【図４】本発明の座椅子取り付け式マッサージ器の取り付け具３に付く突起部４を示した平面図である。
【図５】本発明の座椅子取り付け式マッサージ器と、上下可動調節機能５を示した横からみた平面図である。
【符号の説明】
【００１９】１  本体
２  支柱
３  取り付け具
４  突起部
５  上下可動調節機能
【図１】
2007054572.tif 000003
【図２】
2007054572.tif 000004
【図３】
2007054572.tif 000005
【図４】
2007054572.tif 000006
【図５】
2007054572.tif 000007
(57)【要約】【課題】  スプーン、フォーク、ナイフ、蟹フォークなどのカトラリー入れをテーブル等に出す際、寝かせたままだけでなく立てても使える入れ物を提供する。【解決手段】  容器の面のうち二面をスライド式にして、取り外し可能とする。よって横にしても縦にしても上面を取り外すことができ、そこから出し入れする。また、台を設け、立てる際は台に容器をはめ込み安定させる。【選択図】図１
2007054576.tif 000002
【特許請求の範囲】
【請求項１】
カトラリー入れの容器に、スライド式で取り外し可能な面を設ける。
【請求項２】
本体をはめ込める形状の台を設け、台にはめこむことで本体を安定させる請求項１記載のカトラリー入れ。
【発明の詳細な説明】
【技術分野】
【０００１】  本発明は、ナイフ、フォーク、スプーン、蟹フォーク等カトラリーの入れ物に関するものである。
【背景技術】
【０００２】  従来のカトラリー入れは、横に寝かせた形状や立てる形状のものが考えられるが、置き方を変えて使用することはできなかった。
【発明の開示】
【発明が解決しようとする課題】
【０００３】  本発明は、このような従来の構成が有していた問題を解決しようとするものであり、形状を工夫して、横に寝かせても立てても使用できるカトラリー入れを提供する。
【課題を解決するための手段】
【０００４】  本発明は上記目的を達成するために、立方体型カトラリー入れの二面をスライド式につくり、取り外し可能にする。また、台を設け、入れ物を台にはめて立てられるようにする。
【発明の効果】
【０００５】  上述したように本発明は、カトラリー入れを横に寝かせても縦に立てても２パターンで使用できるように形状を工夫したものである。
【発明を実施するための最良の形態】
【０００６】  本発明の実施の形態を図面に基づいて説明する。【０００７】  図１において本体１の面２と面３はスライド式とし、取り外しが可能である。台４は本体１の面３と対になる面５を底面として立てて使用する際に、はめ込める形状とする。図内の面２と面３はスライドして取り外そうとしている状態である。【０００８】  図２において横に寝かせて使用する際は、スライド式の面２を取り外して使用する。面３は本体１にはめたままの状態とする。【０００９】  図３において本体１を立てて使用する際は、スライド式の面３を取り外して使用する。面２は本体１にはめたままの状態とする。台４のひっかける部分に面５をはめこみ、本体１を設置する。台４にはめることで、縦に置いて使用しても倒れにくく、安定させることができる。【００１０】  図４において本体１を立てて使用する際に、面３をスライドさせて取り外そうとしている状態である。
【図面の簡単な説明】
【００１１】
【図１】  本発明の実施形態を示すカトラリー入れ横置き斜視図
【図２】  本発明の実施形態を示すカトラリー入れ横置き投影図
【図３】  本発明の実施形態を示すカトラリー入れ縦置き正面図
【図４】  本発明の実施形態を示すカトラリー入れ縦置き側面図
【符号の説明】
【００１２】１  本体
２  面
３  面
４  台
５  面
【図１】
2007054576.tif 000003
【図２】
2007054576.tif 000004
【図３】
2007054576.tif 000005
【図４】
2007054576.tif 000006
(57)【要約】【課題】    風呂洗い場より浴槽底面の高さ距離を利用時の労力の軽減を目的とし浴槽本来のスペースを損なわない構造とする【解決手段】  風呂洗い場より浴槽底面の中間辺りに折りたたみの中間ステップ板を設け階段状とし労力の軽減を図る、選択図で説明すると浴槽本体に装備する図１と後付する図２の方法にて機能し未使用時には折りたたみ収納可能とすることで浴槽本来のスペースも確保でき、問題解決とする事が出来る【選択図】    図１
2007054580.tif 000002
【特許請求の範囲】
【請求項１】
入浴時、浴槽に入出する際に折りたたみ収納機能を備えた中間足置きステップ板を装備した浴槽
【請求項２】
浴槽本体とは離別した折りたたみ収納中間足置きステップ板機能をそなえた装置であり、容易に浴槽本体に脱着出来る装着セット
【発明の詳細な説明】
【技術分野】
【０００１】本発明は浴槽に入出する際に、風呂洗い場より浴槽底面までの間に浴槽内に補助中間足置きステップ板を設け、階段状とし、使用しない時には足置きステップ板は折りたたみ収納とし本来の浴槽スペースを保つ装置とする。
【背景分野】
【０００２】従来より浴槽本体の形状として、階段状の形態を備えた浴槽はあるが、不動の形状であり大型浴槽が主体で一般家庭の小型浴槽の形状では設置のスペース状不向、不可能であった。
【発明の開示】
【発明が解決しょうとする課題】
【０００３】風呂洗い場より浴槽底面に入出の際の高低差距離労力を軽減する装置であって浴槽本来のスペース及び機能に支障しない装置とする。
【課題を解決するための手段】
【０００４】この課題を解決するための請求項１の発明は、蝶つがい式折りたたみ足置きステップ板を浴槽内に装備し使用時には足置きステップ板を水平状に取り出し階段状形態に成り階段の役目をし、入出時の労力を軽減する、未使用時には足置きステップ板は垂直状態に折りたたまれ収納スペースに格納され、浴槽内の本来スペースを保つ事が出来る。この発明は浴槽本体の形状がこの機能を生産時から装備装着された浴槽である。
【０００５】この課題を解決するための請求項２の発明は、概に存在する浴槽形状に容易に脱着出来る装置であり浴槽本体とは離別した骨格に装着された装置を浴槽に後付使用する物である事を前提とし、後付した骨格に蝶つがい式折りたたみ足置きステップ板を装備し使用時には足置きステップ板は浴槽内に水平状に取り出され階段形状に成り階段の役目をし、入出時の労力を軽減する、未使用時には足置きステップ板は垂直状態に骨格内に折りたまれ収納され浴槽内スペースを最小限に害さない取り付けセット装置とする。
【発明の効果】
【０００６】特に足腰の弱い人や不具合のある人が入浴する際に、風呂洗い場より浴槽に入出する際に浴槽底面との高低差が苦痛であったり危険であったりする、それを足置きステップ板を設ける事により労力が軽減され入出時の安全性も高くする事ができる。
又未使用時には折りたたみ収納する事により従来の浴槽内機能スペースも確保出来る。
【発明を実施するための最良の形態】
【０００７】  図１、２、３は請求項１の発明内容であり、浴槽本体が生産時より中間ステップ板の装着、機能、収納スペースを予め持った形状で制作される、風呂洗い場より浴槽底面の中間あたりにステップ板を設置する事とし使用時にはステップ板を水平状にして階段の機能を持たせる、水平とするため浴槽本体に回転可能蝶つがい方式の支柱を設けステップ板を取り付ける、使用時の荷重受けとしては折りたため可能荷重受け補助金具とステップ板根元部と浴槽部との接触により受け止める事が出来る図２の形状と成る未使用時には中間ステップ板を支柱により回転出来、上方向に持ち上げ垂直状態とし同時に荷重受け金具も折りたたまれ予め設置されている収納スペースに図３のように格納される。再使用時には中間ステップ板を垂直状態より水平状態に開く形で使用可能な形状と成る。【０００８】  図４，５，６は請求項２の発明内容であり、浴槽本体とは離別した装置であり浴槽に後付可能な構造装着セットである。取り付け装置の構造は強固な骨格を主体としてそれに構造部品を取り付ける事により目的の機能装置と成る、取り付け時に骨格は一般家庭の浴槽の形状に合うよう図５のように浴槽上部と風呂洗い場とに設置され距離高さの調整機能を持ち接触部分は滑り止め又は固定とする。以上の骨格に風呂洗い場と浴槽底面の中間ぐらいの処に中間ステップ板を蝶つがい方式の支柱に取り付け回転式開閉の機能にし、使用時に中間ステップ板は水平状態と成り階段の役目をする、人体荷重の受け装置として骨格と中間ステップ板を折りたたみ式金具により支える事とする。折りたたみ金具は中間ステップ板を水平から垂直上方向に可動する際に浴槽方向に金具中間がＶ字状に折れ曲がりながら中間ステップ板と同時に骨格と浴槽の隙間に図６のように格納される。再使用時には中間ステップ板を垂直状態より開くかたちで回転運動し水平状態で折りたたみ式金具が一杯に開き図５の荷重受け状態で使用可能と成る取り付けセットである。
【産業上の利用可能性】
【０００９】  これからの日本は高齢化に向かう事と成ると同時に筋力不具合のある方に極力自力で安全に軽負担な入浴をしていただく目的の補助装置であり、これから利用、使用される人は多いと考え、量産も可能であり生産販売する事は産業として確立出来る可能性は高いと考えます。
【図面の簡単な説明】
【００１０】
【図１】  請求項１の全体傾斜図である
【図２】  請求項１の利用可能状態、一部透視図の断面図である。
【図３】  請求項１の未使用格納状態、一部透視図の断面図である。
【図４】  請求項２の取り付け状態、全体の傾斜図である。
【図５】  請求項２の利用可能状態、一部透視図の断面図である。
【図６】  請求項２の未使用格納状態、一部透視の断面図である
【符号の説明】
【００１１】  １    浴槽本体
２    浴槽底面
３    風呂洗い場面
４    中間ステップ板
５    中間ステップ板収納スペース
６    浴槽壁面方向折れ曲がり格納可能荷重受け金具
７    浴槽側取り付け蝶つがい回転式中間ステップ板設置支柱
８    折れ曲がり可能金具回転可能支点
９    浴槽別離骨格フレーム
１０    接触部滑り止め又は固定方式
１１    浴槽上面と風呂洗い場面との高さ距離調整部
【図１】
2007054580.tif 000003
【図２】
2007054580.tif 000004
【図３】
2007054580.tif 000005
【図４】
2007054580.tif 000006
【図５】
2007054580.tif 000007
【図６】
2007054580.tif 000008
(57)【要約】【課題】花粉症時など鼻をかんでも鼻の中に残って取ることのできないねばねばの鼻汁５を優しくきれいに取ることのできる耳かき付き綿棒１のような形のピンセットを提供します。【解決手段】耳かき付き綿棒１のように綿棒の一方が紙を硬めに固められたものを半分に折りピンセット型にプレスすることによって、花粉症時などに出るねばねばの鼻汁５を優しく丁寧に取り除くことができるようにします。【選択図】  図３
2007054573.tif 000002
【特許請求の範囲】
【請求項１】
耳かき付き綿棒を半分に折った形の紙とわたで出来たピンセットを提供します。
【発明の詳細な説明】
【技術分野】
【０００１】花粉症の症状が出ているときに鼻をティッシュでかんでもその後、鏡で鼻を見てみると鼻汁分泌物が必ずあり、それはいつものものとは違いねばねばしたもので、ティッシュを丸めても、綿棒で取ろうとしても全然取ることができない。そこでピンセットで取ることにしたのだが鼻毛に絡まっているので取ろうとすると鼻毛まで引っ張ってしまって痛いのである。そこで思い付いたのが耳かき付き綿棒を折り曲げてねばねばの鼻汁を挟んで取ることでした。
【背景技術】
【０００２】従来のピンセットは眉毛を整えたり、棘を抜いたりとすごく小さかったり、細かったりする物をしっかり掴むことが目的であるせいか堅い材質でできている物がほとんどで、柔らかい材質のピンセットはなかった。
【発明の開示】
【発明が解決しようとする課題】
【０００３】従来のピンセットは小さいものや細い眉毛のようなものをしっかり掴むには良いのだが、花粉症時などのねばねばした鼻汁などを優しく、ていねいに取り除くには不向きであった。本発明はこの課題を解消するためになされたものである。
【課題を解決するための手段】
【０００４】耳かき付き綿棒１を半分に折り、棒の部分を平たくすることによって持ち易くするのである。
【発明の効果】
【０００５】綿棒の片方が耳かき付きになったもので持つ部分を平たくすることによってティッシュなどでは取ることのできなかった花粉症時のねばねばの鼻汁５を優しく掴み取り除くことができる。
【実施例１】
【０００６】（イ）綿棒を半分に折っただけでは指で挟み持つのにとてもやり辛いので、柄になる部分を平らにする。
（ロ）綿棒をただ折り曲げただけでは折り目部分が割れてしまうのでピンセット型にプレスする。
（ハ）ピンセット型の綿棒を掴む所が綿棒と一体化して平たくなっているほうが見た目には良いが厚い紙２を図３のように綿棒の棒の部分に貼って補助する形でも良い。
（ニ）綿棒のわたの部分より耳かきの部分の方が少し短めでないとねばねばの鼻汁５をうまく挟むことができないので長さをずらす。
（ホ）綿棒のわたの部分はもう少しプレスした形のほうがねばねばの鼻汁５をつかみやすい。
【図面の簡単な説明】
【０００７】
【図１】本発明の正面図である。
【図２】本発明の断面図である。
【図３】本発明の立体図である。
【図４】本発明の柄の部分を平らにする為に綿棒の棒を直接平らにした物の正面図である。
【図５】本発明の柄の部分を平らにする為に綿棒の棒を直接平らにした物の立体図である。
【図６】花粉症時の鼻の中の様子を表した図である。
【符号の説明】
【０００８】１  耳かき付き綿棒
２  厚い紙
３  耳かき付き綿棒の柄を平らにした部分
４  鼻
５  鼻汁
【図１】
2007054573.tif 000003
【図２】
2007054573.tif 000004
【図３】
2007054573.tif 000005
【図４】
2007054573.tif 000006
【図５】
2007054573.tif 000007
【図６】
2007054573.tif 000008
(57)【要約】【課題】  ケーキ等を出す際等に使用できる、豪華に見えて分けるのに手間がかからず、汚してしまう心配のないプレートホルダー提供する。【解決手段】  下部から上部に向かって太さが細くなっている形状の芯に、中心にそれぞれ違う大きさの穴を設けた大きさの異なるトレーをはめ込み、芯の途中で固定する。食べ物をのせた皿をトレーに置くと、手元に好きなものを手間をかけずに取ることができる。【選択図】図１
2007054577.tif 000002
【特許請求の範囲】
【請求項１】
取り外し可能な、芯とトレーを組み合わせて形成するプレートホルダー。
【請求項２】
安定したトレーに食器等をのせることができる請求項１記載のプレートホルダー。
【発明の詳細な説明】
【技術分野】
【０００１】  本発明は、プレートホルダーに関するものである。
【背景技術】
【０００２】  従来のケーキはホールだと豪華で見栄えがよいが、切り分けるのに手間がかかり、うまく切り分けられないと形が崩れてしまう心配があった。また、ピースのケーキを出すと手間はかからないが豪華さに欠けるという欠点があった。
【発明の開示】
【発明が解決しようとする課題】
【０００３】  本発明は、このような問題を解決しようとするものであり、豪華に見えて手間がかからずにきれいに取り分けられる、食べ物等を盛った皿を置けるプレートホルダーを提供する。
【課題を解決するための手段】
【０００４】  本発明は上記目的を達成するために、芯に大きさの違う数枚のトレーを段となるよう串刺しにする形状の、取り外し可能なプレートホルダーとする。
【発明の効果】
【０００５】  本発明は、トレーを外しても個々で使用することもでき、大きさの違うトレーを重ねられるため場所をとらずに保管できる。
【発明を実施するための最良の形態】
【０００６】  本発明の実施の形態を図面に基づいて説明する。【０００７】  図１において芯１の太さは下部から上部に向かって徐々に細くなり、台２にはめて安定して立てられる形状とする。台２からは取り外し可能である。装飾３を最後に芯の上にはめ込む。装飾３の形状は、図の形状に限らなくてよい。【０００８】  トレー４、トレー５、トレー６、トレー７、トレー８にはそれぞれ中心部に違う大きさの穴が設けられている。図３はトレー４、トレー５、トレー６、トレー７、トレー８の形状を示す。芯１に通した際に、穴の大きさによってそれぞれの位置で安定して止まる。穴の大きさは芯１に等間隔ではまり固定される大きさとする。芯１の上部からトレー８、トレー７、トレー６、トレー５、トレー４を順にはめ込む。組み立てたプレートホルダーをテーブル等に出し、トレーの上に食事を盛った皿９等を置くことができ、豪華に見える。食事の際には好みのものを皿ごと手元に取ることができるので、取り分ける手間が省けて、周りを汚す心配もない。好みに応じて置く物をアレンジし、パーティーの時にはローソクや飾り等を置き、雰囲気を出すこともできる。【０００９】  使用しないときはそれぞれの部分が取り外し可能である。保管する際はトレーを重ねることができるので場所をとらない。また、組み立てない時はトレーをそれぞれ皿として使用できる。
【図面の簡単な説明】
【００１０】
【図１】  本発明の実施形態を示すプレートホルダーに皿をのせた斜視図
【図２】  本発明の実施形態を示すプレートホルダーに皿をのせた側面図
【図３】  本発明の実施形態を示すプレートホルダーのトレー側面図
【符号の説明】
【００１１】１    芯
２    台
３    装飾
４    トレー
５    トレー
６    トレー
７    トレー
８    トレー
９    皿
【図１】
2007054577.tif 000003
【図２】
2007054577.tif 000004
【図３】
2007054577.tif 000005